(57)【要約】      （修正有）【課題】昼夜連続撮影用監視カメラレンズで、赤外線を透過するダミーフィルタと、赤外線を遮断する赤外線カットフィルタを、切り替える機構において、支持体（ホルダー）の全長が長くなるのを防止し、外形寸法が小さく簡単な構造の赤外線フィルタ切替機構を得る。【解決手段】撮像部に対応する開口部２を備えた支持板（ホルダー）３に、赤外線を透過させるダミーフィルターと赤外線を遮断する赤外線カットフィルタ、とを前記開口部２に切替え配置可能に対応させて、前記撮像部への赤外線の入射と遮断とを二枚の取付板に取り付けたフィルタを、互いに逆方向に移動可能に重ね合わせて形成された開口部に対応させて、取付板それぞれの相反する方向への移動により赤外線の入射と遮断を切替える切替え部材６，７と、二枚の絞り羽根４，５を互いに逆方向に移動可能に重ね合わせて形成された絞り孔を拡縮させて撮像部への光の量を調整する絞り部材とを取り付けた。【選択図】図２
2012242463.tif 000002
【特許請求の範囲】
【請求項１】
監視カメラレンズの撮像部に対応する開口部を備えた支持板（ホルダー）に、赤外線を透過させるダミーフィルタと赤外線を遮断する赤外線カットフィルタとを前記開口部に切替え配置可能に対応させて、前記撮像部への赤外線の入射と遮断とを二枚の取付板に取り付けたフィルタを互いに逆方向に移動可能に重ね合わせて形成された開口部を前記開口部に対応させて、取付板をそれぞれ相反する方向への移動により、赤外線の入射と遮断を切替える切替え部材と、二枚の絞り羽根を互いに逆方向に移動可能に重ね合わせて形成された絞り孔を前記開口部に対応させて、絞り羽根それぞれの相反する方向への移動により絞り孔を拡縮させて撮像部への光の量を調整する絞り部材とを取り付けたことを特徴とする赤外線カット、絞り一体装置。
【請求項２】
上記切替え部材における取付板を上記支持板（ホルダー）に対して互いに逆方向にスライド移動させる切替え部材用駆動部と、上記絞り部材における絞り羽根を上記支持板（ホルダー）に対して互いに逆方向にスライド移動させる絞り部材用駆動部とが支持板(ホルダー)の端部側に並べ設けられ、前記切替え部材用駆動部と絞り部材用駆動部とのそれぞれは、回転軸を有する永久磁石回転体と、巻きつけたコイルへの通電により磁界を生じさせて前記永久磁石回転体を回転させる一対のボビンと、前記ボビンが取り付けられる装着孔を有して、該装着孔にボビンそれぞれのコイル端子が位置するプリント配線板における前記コイル端子に接続されているとともに監視カメラの制御部側に着脱可能なコネクタを備えた電線とからなるものである。請求項１に記載の赤外線カット、絞り一体装置。
【請求項３】
上記切替え部材用駆動部は上記永久磁石回転体とボビンとを内部に配する筒状のヨークを有し、該ヨークの断面形状を楕円形にして、ボビンに通電された切替え部材用駆動部の動作により上記切替え部材がスライドし、切替え部材の赤外線を透過させるダミーフィルタが支持板（ホルダー）の開口部に位置した時と、赤外線を遮断させる赤外線カットフィルタが支持板（ホルダー）の開口部に位置した時に、ボビンへの非通電状態で永久磁石回転体とヨークとの間で生ずる磁性吸着力により、支持板（ホルダー）の開口部に相対する前記フィルタの位置を保持するように磁気回路を構成した請求項２に記載の赤外線カット、絞り一体装置。
【請求項４】
上記支持板（ホルダー）に切替え部材と絞り部材とが積層配置されて、支持板（ホルダー）が切替え部材と絞り部材をスライド可能に支持し、この支持板（ホルダー）に監視カメラ側への取付部が設けられている請求項１から３の何れか一項に記載の赤外線カット、絞り一体装置。
【請求項５】
上記切替え部材用駆動部における一対のボビンのコイルを並列接続した請求項１から４の何れか一項に記載の赤外線カット、絞り一体装置。
【発明の詳細な説明】
【技術分野】
【０００１】
本発明は、昼夜連続撮影用監視カメラレンズなどに組み入れられて、その監視カメラの撮像部側への赤外線の入射及び遮断を切替えるとともに、画像を明確に映し出すために光の量を調整する、赤外線カット、絞り一体装置に関するものである。
【背景技術】
【０００２】
従来から24時間昼夜連続撮影用監視カメラレンズなどにおいては、夜間時や照明が落とされた場所でも撮影できるようにする必要があることから、夜間時や暗部に対する撮影となるときには入射する赤外線を利用して画像を得るようにしている。
そのため、このような昼夜連続撮影用監視カメラレンズなどでは、必要時に赤外線撮影が行われるように赤外線の入射と遮断とを切替える赤外線切替機構を有するものがある。
【０００３】
赤外線の入射と遮断とを切替える構造が無いカメラを昼夜連続撮影用監視カメラレンズとして使用されることもあり、このような場合、赤外線を入射又は遮断するどちらかのフィルタをカメラレンズに固定して撮影を行うようにしている。
【発明の開示】
【発明が解決しようとする課題】
【０００４】
昼夜連続撮影用監視カメラレンズに使用されている上記赤外線切替機構は、カメラ本体内部のCCD素子などからなる撮像部に達する光路に必要時にフィルタが配置されるようにそのフィルタを移動可能に支持している。
しかしながら、赤外線を透過するダミーフィルターと、赤外線を遮断する赤外線カットフィルターは薄板状の部品に各々は並べて配置されて固定されており、フィルタの切替えをさせる場合のスライド移動距離を確保しなければならず、必要に応じて、フィルタの確保と支持のために、前記支持体（ホルダー）の全長が長くなってしまう。
そこで、本発明は赤外線を入射および遮断するフィルタの配置を課題とし、外形寸法は小さく簡単な構造とした装置をカメラレンズ内に組み入れるようにすることで、昼夜を問わず鮮明な画像が得られるようにすることを目的とする。
【課題を解決するための手段】
【０００５】
本発明は上記課題を考慮してなされたもので、監視カメラレンズの撮像部に対応する開口部を備えた支持板（ホルダー）に、赤外線を透過させるダミーフィルターと赤外線を遮断する赤外線カットフィルタとを前記開口部に切替え配置可能に対応させて、前期撮像部への赤外線の入射と遮断とを二枚の取付板に取り付けたフィルタを互いに逆方向に移動可能に重ね合わせて形成された開口部に対応させて、取付板それぞれの相反する方向への移動により赤外線の入射と遮断を切替える切替え部材と、二枚の絞り羽根を互いに逆方向に移動可能に重ね合わせて形成された絞り孔を拡縮させて撮像部への光の量を調整する絞り部材とを取り付けたことを特徴とする赤外線カット、絞り一体装置を提供して、上記課題を解消するものである。
【０００６】
本発明において、上記切替え部材における取付板を互いに逆方向に上記支持板（ホルダー）に対してスライド移動させる切替え部材用駆動部と、上記絞り部材における絞り羽根を互いに逆方向に上記支持板（ホルダー）に対してスライド移動させる絞り部材用駆動部とが支持板の端部側に並べ設けられ、前記切り替え部材用駆動部と絞り部材用駆動部とのそれぞれは、回転軸を有する永久磁石回転体と、巻きつけたコイルへの通電により磁界を生じさせて前記永久磁石回転体を回転させる一対のボビンと、前記ボビンが取り付けられる装着孔を有して、該装着孔にボビンそれぞれのコイル端子が位置するプリント配線板と、前記プリント配線板における前記コイル端子に接続されているとともに監視カメラの制御部側に着脱可能なコネクタを備えた電線とからなるものであることが良好である。そして、上記切替え部材用駆動部は上記永久磁石回転体とボビンとを内部に配する筒状のヨークを有し、該ヨークの断面形状を楕円型にして、ボビンに通電された切替え部材用駆動部の動作により上記切替え部材がスライドし、切替え部材の赤外線を透過させるダミーフィルタが支持板（ホルダー）の開口部に位置した時と、赤外線を遮断させる赤外線カットフィルタが支持板（ホルダー）の開口部に位置した時に、ボビンへの非通電状態で永久磁石回転体とヨークとの間で生じる磁性吸着力により、支持板（ホルダー）の開口部に相対する前記フィルタの位置を保持するように磁気回路を構成することが良好である。
【０００７】
また、本発明において、上記支持板（ホルダー）に切替え部材と絞り部材とが積層配置されて、支持板（ホルダー）が切替え部材と絞り部材をスライド可能に支持し、この支持板（ホルダー）に監視カメラ側への取付部が設けられていることが良好である。さらに、上記切替え部材用駆動部における一対のボビンのコイルを並列接続することが良好である。
【発明の効果】
【０００８】
以上説明した本発明の構成によれば、赤外線の入射と遮断を切替える切替え部の二枚の取付板を積層配置し、支持板（ホルダー）に対してスライド移動させ、ダミーフィルタと赤外線カットフィルタを切替える構造にすることにより、外形寸法が小さくなり、昼夜を問わずに鮮明な画像が得られる小型軽量および省資源の監視カメラが得られるように成るなど、実用性に優れた効果を奏するものである。
【発明を実施するための最良の形態】
【０００９】
この赤外線カット、絞り一体装置１は、監視カメラレンズの撮像部に対する開口部２を備えた支持板３に、絞り部材４、絞り部材５と切替え部材６、切替え部材７とを積層配置し、支持板３の長辺側で立ち上げられている側壁の間で前記絞り部材４、絞り部材５をスライド可能に支持している。更に、支持板３に切替え部材６、切替え部材７がスライド可能な側壁を備えている。
そして、支持板３の側壁にはこの赤外線カット、絞り一体装置１を監視カメラ側の図示しないケーシングやプリント配線板などにセットするための取付部８が一体に設けられ、この支持板３を監視カメラレンズ側のケーシングやプリント配線板などに固定することで、絞り部材４、絞り部材５と切替え部材６、切替え部材７とがそれぞれスライド可能な状態で撮像部側に対応するようにしている。
【００１０】
上記切替え部材６は開口部を有した取付板９に赤外線を透過するダミーフィルタ１０を貼付したものである。
切替え部材７も開口部を有した取付板１１に赤外線を遮断する赤外線カットフィルタ１２を貼付したものである。取付板９、取付板１１の一端部は延長され、その先に連結孔１３を配している。絞り部材４、絞り部材５はそれぞれ開口を有した二枚の絞り部材５をそれぞれが上記支持板3の長手方向に移動可能に重ね合わせたものであり、全体として薄型に形成されている。
二枚の絞り部材５を互いに逆方向に移動させることで開口部2が定位置で拡縮するようにしている。前記絞り部材５それぞれは、上記切替え部材６、の取付板９と同じように一端部が延長されその先端に連結孔１４を配している。
【００１１】
上記支持板３の側壁それぞれの内面側には高さが異なる複数の突起１５が設けられていて、支持板３側の低い位置にある突起１５は、切替え部材６、切替え部材７を移動可能に支持するとともに切替え部材６と絞り部材５との直接的な接触を防止して、僅かな間隔が生じるようにこの切替え部材６と絞り部材５との間を離間させるものである。上位の突起１５は絞り部材４、絞り部材５がスライド可能にしながら絞り部材５が上下に外れないようにしている。
【産業上の利用可能性】
【００１２】
本発明の活用例としては、小型軽量の昼夜連続撮影用監視カメラに活用できる。
【図面の簡単な説明】
【００１３】
図１は、監視カメラレンズの撮像部に達する光路での赤外線の入射と遮断とを切替えるとともに光の量を調整する赤外線カット絞り一体装置である。
図２は、赤外線カット、絞り一体装置の詳細図である。
図３は、赤外線カット、絞り一体装置の赤外線遮断時の詳細図である。
図４は、赤外線カット、絞り一体装置の赤外線入射時の詳細図である。
【符号の説明】
【００１４】
１：赤外線カット、絞り一体装置
２：開口部
３：支持板
４：絞り部材
５：絞り部材
６：切替え部材
７：切替え部材
８：監視カメラへの取付部
９：取付板
１０：ダミーフィルタ
１１：取付板
１２：赤外線カットフィルタ
１３：切替え部部材連続孔
１４：絞り部材連続孔
１５突起
【図１】
2012242463.tif 000003
【図２】
2012242463.tif 000004
【図３】
2012242463.tif 000005
【図４】
2012242463.tif 000006